(57)【特許請求の範囲】
【請求項１】
長手方向を上下にした状態で起立状に配置された長尺状の支持材と、
吸水性を有する多孔質材料により形成されて前記支持材に支持されるブロック体とを備え、
前記ブロック体と前記支持材との間には、水の通水路となる隙間が設けられており、
該隙間には、当該支持材にブロック体を支持させる取付け手段が配置され、
該取付け手段には、前記水を保持する保水部と、該保水部の水をブロック体に向けて供給する給水部とが設けられていることを特徴とする蒸散ルーバー。
【請求項２】
前記ブロック体は、前記支持材を挿通可能な挿通孔を備えた筒状を呈しており、前記支持材は、前記挿通孔に挿通された状態で全周に亘って前記隙間を介して前記ブロック体の挿通孔の周面と対向していることを特徴とする請求項１に記載の蒸散ルーバー。
【請求項３】
前記取付け手段の保水部は、前記挿通孔の長手方向に亘って螺旋状に設けられていることを特徴とする請求項２記載の蒸散ルーバー。
【請求項４】
前記取付け手段は、前記支持材に取り付けられる支持材側係止部と、前記ブロック体に取り付けられ、且つ前記支持材側係止部に係合するブロック体側係止部とを有する面ファスナーであり、
前記支持材側係止部は、前記支持材に当接して固定される面状の固定部と、前記固定部に立設される多数の係合突起部とを有し、
前記ブロック体側係止部は、前記ブロック体に当接して固定され、且つ透水性を有するシート部と、前記シート部に立設される多数の係合突起部とを有し、
前記保水部は、前記支持材側係止部、及び前記ブロック体側係止部の前記係合突起部同士の係り合いによって形成され、
前記給水部は、透水性を有する前記シート部によって形成されることを特徴とする請求項１〜３のいずれか一項記載の蒸散ルーバー。
【請求項５】
前記ブロック体は、前記支持材の長手方向に亘って複数体が連続して設けられており、
隣接する前記ブロック体同士の端部を包囲する継手管材を更に備えることを特徴とする請求項１〜４のいずれか一項記載の蒸散ルーバー。
【請求項６】
前記ブロック体は、一方の端部から他方の端部に亘る溝部が形成された一対のブロック片からなり、
前記一対のブロック片同士は、前記支持材を挟み、且つ前記溝部を対向させた状態で配置され、
前記挿通孔は、対向配置された前記溝部によって形成されることを特徴とする請求項２記載の蒸散ルーバー。
【請求項７】
前記支持材は筒状であることを特徴とする請求項１〜６のいずれか一項記載の蒸散ルーバー。
【請求項８】
前記支持材の下端部には、前記隙間を覆い、且つ前記ブロック体を受ける受け部材が設けられていることを特徴とする請求項１〜７のいずれか一項記載の蒸散ルーバー。
【請求項９】
前記受け部材に受け入れられた水の有無を検出する検出器を更に備えることを特徴とする請求項８に記載の蒸散ルーバー。
【発明の詳細な説明】
【技術分野】
【０００１】
本発明は、水の気化を利用して周囲を冷却する蒸散部を備えたルーバーに関する。
【背景技術】
【０００２】
例えば、特許文献１には、保水性または透水性を有する材料からなるルーバー（蒸散部）の内部に水路を形成し、ルーバー内を通過する水の気化によって周囲を冷却する構造についての開示がある。また、特許文献２には、冷却壁体用ブロックが多段に積み重ねられた壁本体と、該壁本体に灌水する灌水手段とを有する冷却壁体が開示されている。冷却壁体用ブロック（蒸散部）は多孔質材よりなり、冷却壁体用ブロックには、前面から後面に貫通する通風孔と、上面から下面に貫通する通水用の貫通孔とが形成されている。この冷却壁体では、貫通孔内を流下する水の気化を利用して周囲の冷却を図る。
【先行技術文献】
【特許文献】
【０００３】
【特許文献１】特開２０１０−１１６７４１号公報
【特許文献２】特開２０００−１４４９６３号公報
【発明の概要】
【発明が解決しようとする課題】
【０００４】
特許文献１に係る冷却構造は、横置き、つまり、水平方向に沿って延在するルーバー内に水を流すことを前提とする技術である。そして、このルーバーを縦置きにすると、ルーバー内の水路を通過する水が下方に集まってしまい、蒸散が不均一になる可能性があって実用的では無い。
【０００５】
一方、特許文献２に係る冷却壁体は、縦方向に並ぶ冷却壁体用ブロックに沿って水が落下しながら気化する構造である。しかしながら、この冷却壁体では、気化に供する水が重力による落下速度で冷却壁体用ブロックの貫通孔を通過するため、短時間で冷却壁体内を通過してしまい、蒸散が不均一になり易い。従って、冷却壁体の上端部から下端部に亘って全体に可及的均等に水を染み込ませるためには多量の水が必要になるなどの非効率が生じる。
【０００６】
本発明は、以上の課題を解決することを目的としており、吸水性を有する多孔質材料からなるブロック体に対して効率よく水を浸透させ、ブロック体の広い範囲で均一な蒸散を可能する蒸散ルーバーを提供することを目的とする。
【課題を解決するための手段】
【０００７】
本発明に係る蒸散ルーバーは、長手方向を上下にした状態で起立状に配置された長尺状の支持材と、吸水性を有する多孔質材料により形成されて支持材に支持されるブロック体とを備え、ブロック体と支持材との間には、水の通水路となる隙間が設けられており、その隙間には、支持材にブロック体を支持させる取付け手段が配置され、その取付け手段には、水を保持する保水部と、その保水部の水をブロック体に向けて供給する給水部とが設けられていることを特徴とする。
【０００８】
本発明によれば、起立状に配置された支持材とブロック体との間に形成される隙間に水の通水路が形成される。この隙間には、保水部と給水部とが設けられた取付け手段が配置されている。従って、通水路を通過する水は保水部で保持され、さらに、給水部を通じてブロック体に向けて供給される。つまり、通水路に沿って重力により支持材の上端部から下端部に向けて落下する水は、通水路の下端に到達する前に保水部で捕捉され、給水部を介してブロック体に供給されるので、少量の水でブロック体に供給できる。また、ブロック体の上端部付近の隙間にも保水部や給水部が設けられるため、水がブロック体の下部に偏って集まってしまうことを防ぐことができる。その結果として、ブロック体の上下端部に亘って広い範囲で均一な蒸散を可能する。
【０００９】
さらに、ブロック体は、支持材を挿通可能な挿通孔を備えた筒状を呈しており、支持材は、挿通孔に挿通された状態で全周に亘って隙間を介してブロック体の挿通孔の周面と対向していると好適である。この構成によれば、支持材をブロック体で覆うことができ、外観の意匠性も向上する。また、支持材の全周に隙間及び取付け手段を設けてブロック体への給水量の増加を図ることができ、さらに、ブロック体の外面の面積も増大して蒸散効果の増大が図れる。
【００１０】
さらに、取付け手段の保水部は、挿通孔の長手方向に亘って螺旋状に設けられていると好適である。この構成によれば、上述の隙間の通水路は、螺旋状の保水部及び給水部により形成されて水を保持する螺旋状の保持部と、該螺旋状の保持部の形成により付随的に螺旋状に形成される螺旋状の重力落下部の２系統を互いに隣り合って備えることとなる。これによって、重力落下部により支持材の長尺方向に速やかに水を供給しつつ、保持部では重力落下部からの水を一時的に保持してブロック体に送り込むことが可能となり、ブロック体の上下端部に亘って水を円滑に、且つ偏り無く供給できるので、蒸散の均一化に有利である。
【００１１】
さらに、取付け手段は、支持材に取り付けられる支持材側係止部と、ブロック体に取り付けられ、且つ支持材側係止部に係合するブロック体側係止部とを有する面ファスナーであり、支持材側係止部は、支持材に当接して固定される面状の固定部と、固定部に立設される多数の係合突起部とを有し、ブロック体側係止部は、ブロック体に当接して固定され、且つ透水性を有するシート部と、シート部に立設される多数の係合突起部とを有し、保水部は、支持材側係止部、及びブロック体側係止部の係合突起部同士の係り合いによって形成され、給水部は、透水性を有するシート部によって形成されると好適である。
【００１２】
取付け手段が面ファスナーからなる上記の構成では、互いに係り合う支持材側係止部の係合突起部とブロック体側係止部の係合突起部同士の間に水滴が付着することで水が保持される。さらに、当該水は、ブロック体側係止部の透水性を有するシート部を通過してブロック体に供給される。つまり、取付け手段を面ファスナーにて構成することで、保水部、及び給水部を簡単に、且つ確実に形成できる。さらに、面ファスナーでは、水を粒状、あるいは滴状に保持しており、ブロック体からの蒸散度合いに応じて面ファスナーからブロック体に適宜に水が供給されることになり効率が良い。また、面ファスナーの多数の係合突起部によって水を拡散保持できるので、広い範囲で均一にブロック体に染み込ませる上で有利である。さらに、面ファスナーは、衝撃に強く剥離を生じ難い利点を有するので、外部からの衝撃でブロック体が割れても面ファスナーを介してブロック体の破片は支持材に固定された状態を保持され、割れた破片の落下や飛散を防止できる。さらに、ブロック体は、面ファスナーを介して支持材から着脱自在であるため、必要に応じて交換も容易である。
【００１３】
さらに、上記のブロック体は、支持材の長手方向に亘って複数体が連続して設けられており、隣接するブロック体同士の端部を包囲する継手管材を備えると好適である。蒸散機能を有する部分が複数のブロック体によって構成されるので、一部のブロック体が破損した際に、支持材を外すことなく破損したブロック体のみを簡単に交換できる。
【００１４】
さらに、ブロック体は、一方の端部から他方の端部に亘る溝部が形成された一対のブロック片からなり、一対のブロック片同士は、支持材を挟み、且つ溝部を対向させた状態で配置され、挿通孔は、対向配置された溝部によって形成されると好適である。一対のブロック片によって支持材を挟み付けるように設置できるので、支持材に対するブロック体の取り付けが非常に容易になる。
【００１５】
さらに、支持材は筒状であると好適である。この構成によれば、熱を回収、又は放熱するための空気や液体の媒体を流す管として支持材を利用できるので、蒸散だけではなく、媒体の効果によりブロック体の温度を制御する事ができる。また、支持材に媒体を通すことによって、ブロック体に発生したカビなどに触れない清浄な空気や液体が得られ、冷暖房に使える。
【００１６】
さらに、支持材の下端部には、隙間を覆い、且つブロック体を受ける受け部材が設けられていると好適である。余分な水が下方に抜けた場合でも、余分な水によって下方に配置された部材などを濡らさなくてすむ。
【００１７】
さらに、受け部材に受け入れられた水の有無を検出する検出器を備えると好適である。受け部材に受け入れられた余分な水を検出することができるので、注水量の制御が可能になる。
【発明の効果】
【００１８】
本発明によれば、吸水性を有する多孔質材料からなるブロック体に対して効率よく水を浸透させ、ブロック体の広い範囲で均一な蒸散を可能する。
【図面の簡単な説明】
【００１９】
【図１】本発明の第１の実施形態に係る蒸散ルーバーを模式的に示す図である。
【図２】第１の実施形態に係る蒸散ルーバーの一本の蒸散モジュールを示す斜視図である。
【図３】第１実施形態に係る蒸散モジュールの一部を破断して示す拡大斜視図である。
【図４】図３のＩＶ−ＩＶ線に沿った断面図である。
【図５】面ファスナーで形成される保水部を拡大して示す断面図である。
【図６】第１の実施形態に係る蒸散ルーバーの蒸散作用を模式的に示す縦断面図である。
【図７】蒸散モジュールの変形例を示す横断面図であり、（ａ）は第１の変形例を示す断面図、（ｂ）は第２の変形例を示す断面図、（ｃ）は第３の変形例を示す断面図、（ｄ）は第４の変形例を示す断面図である。
【図８】本発明の第２の実施形態に係る蒸散ルーバーにおいて、蒸散モジュールの一部を拡大して示す縦断面図である。
【図９】本発明の第３の実施形態に係る蒸散ルーバーにおいて、蒸散モジュールの一部を拡大して示す横断面図である。
【発明を実施するための形態】
【００２０】
以下、本発明の好適な実施形態について図面を参照しながら説明する。
【００２１】
図１に示されるように、蒸散ルーバー１Ａは、複数の蒸散モジュール３Ａを備えている。各蒸散モジュール３Ａは、長尺状に形成されると共に長尺軸を縦向きとして横方向、すなわち水平方向に均等間隔で並んでいる。また、複数の蒸散モジュール３Ａは、サッシなどが設置される開口部、建物の外壁面、あるいはベランダなどに取り付けられた固定金具５に、上部、及び下部が取り付けられている。蒸散ルーバー１Ａは、水の気化を利用して周囲を冷却する設備であり、蒸散モジュール３Ａには、上方から蒸散用の水が注水される。
【００２２】
図２、図３、及び図４に示されるように、蒸散モジュール３Ａは、長尺状の支持管材（支持材）７と、支持管材７によって支持された蒸散ブロック（ブロック体）８とを備えている。支持管材７は樹脂製であり、長手方向が鉛直方向に沿った状態で起立状に配置されている。以下の説明では、支持管材７が起立する方向である上下方向を縦方向Ｐａとして説明する。なお、本実施形態では、支持管材７が鉛直方向に沿って配置されている態様を起立状の一例として説明するが、支持管材７の長手方向の両端が上下に配置されていれば、多少、傾いていても起立状の配置に含まれる。
【００２３】
蒸散ブロック８は、支持管材７を左右から挟むように配置される一対のブロック片９，９によって形成されている。ブロック片９は、吸水性を有する多孔質材料であればよく、本実施の形態では軽量気泡コンクリート（ＡＬＣ）製のブロック片９を例示する。なお、吸水性を有する多孔質材料としてセラミックや陶器などでもよいが、軽量気泡コンクリート（ＡＬＣ）製の方が、製造等が容易で、また所定の形状に加工し易いという利点がある。
【００２４】
ブロック片９は、横断面が略矩形の直方体形状をなし、他のブロック片９、及び支持管材７に対向する側の面には、長手方向の一方の端部から他方の端部に亘る直線状の溝部１１が凹設されている。溝部１１は、外形断面が円形の支持管材７に対応して断面半円状をなす。また、一対のブロック片９，９は溝部１１，１１同士が重なり合って支持管材７が挿通される断面略円形状の挿通孔Ｈを形成する。挿通孔Ｈの内径は、支持管材７の外径に比べて僅かに大きくなっており、蒸散ブロック８と支持管材７との間には縦方向Ｐａに延在する僅かな隙間Ｓが形成される。この隙間Ｓは、蒸散用の水の通水路となる。
【００２５】
隙間Ｓ内には、支持管材７に蒸散ブロック８を支持させる面ファスナー（取付け手段）１３が配置されている。面ファスナー１３は、支持管材７に固定される帯状係止部（支持材側係止部）１５と、蒸散ブロック８に固定されるシ−ト状係止部（ブロック体側係止部）１７と、を備えている。帯状係止部１５は、支持管材７の長手方向、すなわち、蒸散ブロック８の挿通孔Ｈの長手方向に沿って間隔を有しつつ螺旋状に巻かれ、接着されている。一方で、シ−ト状係止部１７は、蒸散ブロック８の挿通孔Ｈの内周面全面を覆うように蒸散ブロック８に取り付けられている。
【００２６】
帯状係止部１５は、支持管材７の外周面に当接して固定される長尺面状の固定部１５ａと、固定部１５ａに立設される多数のフック部（係合突起部）１５ｂとを有する。また、シ−ト状係止部１７は、蒸散ブロック８の内周面に当接して固定され、且つ透水性を有するシート部１７ａと、シート部１７ａに立設される多数のフック部（係合突起部）１７ｂとを有する。帯状係止部１５のフック部１５ｂとシ−ト状係止部１７のフック部１７ｂとはキノコ状の同一形状からなり、互いの頭部同士が引っ掛かるようにして係り合う。なお、本実施形態では、係合突起部同士の係り合いについて、フック部１５ｂ，１７ｂ同士の係り合いを例に説明したが、一方の係合突起部をフック状、他方の係合突起部をループ状とし、フック状の係合突起部とループ状の係合突起部とが係り合う態様であってもよい。
【００２７】
支持管材７に固定された帯状係止部１５と、蒸散ブロック８に固定されたシ−ト状係止部１７とが係り合うことにより、蒸散ブロック８は、支持管材７に取り付けられる。また、帯状係止部１５とシ−ト状係止部１７との係り合いを解くことで、蒸散ブロック８の各ブロック片９を支持管材７から簡単に取り外すことができる。
【００２８】
帯状係止部１５は支持管材７の外周面に螺旋状の固着されており、シ−ト状係止部１７との係り合う領域は螺旋状の領域となる。この螺旋状の領域は、隙間Ｓに注水された水の保水部１９となる。また、シ−ト状係止部１７のシート部１７ａは、透水性を有しており、保水部１９にて保持された水は、徐々にではあるがシート部１７ａを通過して蒸散ブロック８に供給される。つまり、透水性を有するシート部１７ａは、蒸散ブロック８への水の給水部２１になる。
【００２９】
保水部１９では、水を粒状、あるいは滴状に保持している。そして、保水部１９に保持された水は、蒸散ブロック８での蒸散度合いに応じ、給水部２１を介して蒸散ブロック８に適宜に水が供給されることになり効率が良い。また、保水部１９では、多数のフック部１５ｂ，１７ｂによって水を拡散保持できるので、広い範囲にわたって均一に蒸散ブロック８に染み込ませるという点で有利である。
【００３０】
なお、本実施形態では、帯状係止部１５の固定部１５ａは、水の透過を防ぐために略全面が支持管材７に接着されているが、シ−ト状係止部１７のシート部１７ａは透水性を確保するために部分的に蒸散ブロック８に接着されている。なお、シート部１７ａは、透水性を増すために多数の孔を形成したり、網状にしたりすることも可能である。
【００３１】
一対のブロック片９，９が当接する端面同士の間には、支持管材７を挟むようにして一対のパッキン部材２３が挟持されている。パッキン部材２３は、隙間Ｓに沿うように縦方向Ｐａに延在している。また、一対のブロック片９，９からなる蒸散ブロック８の外周には、撥水処理が施されてコーティング膜２７が形成されている。コーティング膜２７は、内から外に向けての気体、例えば、気化された水は通すが、外から内に向けて液体、例えば雨滴などの侵入は防ぐ。なお、本実施形態では、コーティング膜２７を形成した態様を例示しているが、コーティング膜２７は必須ではなく、撥水処理を省略することも可能である。
【００３２】
縦長の蒸散モジュール３Ａは、縦方向Ｐａに連続して配置された複数体の蒸散ブロック８によって形成されている。上下に隣接する蒸散ブロック８，８同士の端部は、継手管材２９によって包囲されており、上下の蒸散ブロック８，８同士は継手管材２９によって連結されている。なお、上下の蒸散ブロック８，８同士の間には、水漏れを防ぐために環状のパッキン（図示省略）が挟持されている。
【００３３】
継手管材２９は、蒸散ブロック８の三面に対面する略コ字状の継手本体２９ａと、継手本体２９ａに開閉自在に取り付けられた開閉片２９ｂとを備えており、継手本体２９ａ側の爪部２９ｃに開閉片２９ｂの爪部２９ｄを引っ掛かるように留めることで、継手管材２９は閉じ、蒸散ブロック８を包囲する。
【００３４】
図１、及び図２に示されるように、蒸散モジュール３Ａの支持管材７の上端は、最上段の蒸散ブロック８の上端から突き出しており、蒸散モジュール３Ａの上方のヘッダ管３１に接続されている。また、支持管材７の下端は、最下段の蒸散ブロック８の下端から突き出しており、蒸散モジュール３Ａの下方の合流管３２に接続されている。支持管材７の内部には、ヘッダ管３１を通じて熱媒体となる気体や液体が供給される。熱媒体は蒸散モジュール３Ａにおいて熱交換される。さらに、熱交換された後の熱媒体は、合流管３２に流出する。そして、熱交換後の熱媒体を室内に引き込んで循環させる配管構成にすることで、夏場の冷房補助、または冬場の暖房補助に利用できる。
【００３５】
蒸散モジュール３Ａの上端部には、蒸散モジュール３Ａに注水された水を一時的に蓄える貯水キャップ部３３が設けられている。貯水キャップ部３３の上端は開放されており、貯水キャップ部３３の上方には蒸散用の水を移送する注水ライン３５の注入口３５ａが配置されている。注水ライン３５は、水の貯留槽３６に接続され、水の落差圧によって水を移送する移送管３５ｂ、及び管路を開閉するバルブ３５ｃ、などを備えている。注水ライン３５では、バルブ３５ｃを閉じることで、適宜に管路を遮断して、注水を停止することができる。
【００３６】
支持管材７の下端部、つまり、蒸散モジュール３Ａの下端部には、支持管材７と蒸散ブロック８との間の隙間Ｓを覆い、蒸散ブロック８を受ける受け部材３８が設けられている。受け部材３８は、仮に、余分な水が下方に抜けた場合であっても、余分な水によって下方の部材などが濡れなくて済むようにするための容器である。また、蒸散モジュール３Ａの下部には、受け部材３８に受け入れられた水の有無を検出する検出器３９が設置されている。
【００３７】
検出器３９は、例えば、リード線式の漏水センサなどであり、全ての蒸散モジュール３Ａでの余分な水の流出を検出できるように構成されている。検出器３９は、検出信号をバルブ３５ｃの制御ユニットに送信可能に接続されており、例えば、検出器３９によって余分な水が検出された場合には、バルブ３５ｃを閉じたり、または開度を調整したりするなどして注水量を制御することができる。
【００３８】
次に、図１、及び図６を参照して蒸散ルーバー１Ａの作用、及び効果について説明する。夏場などの外気温が高い場合には、基本的にバルブ３５ｃが開かれ、複数の蒸散モジュール３Ａに対して注水が行われる。蒸散モジュール３Ａの上端に供給された水は、隙間（通水路）Ｓを通って落下する。隙間Ｓ内には、面ファスナー１３による保水部１９が螺旋状に配置されており、通水路を通過する水は、保水部１９となる螺旋領域に沿って落下し、また、通水路の下端に到達する前に保水部１９に徐々に捕捉される。
【００３９】
保水部１９で保持された水は、給水部２１を介して蒸散ブロック８に供給される。蒸散ブロック８は、吸水性を有する多孔質材料からなり、給水部２１から供給された水を蓄え、気化させて外部に放出する。この時の蒸散作用により、蒸散ブロック８、及び蒸散モジュール３Ａの周囲は冷却される。なお、蒸散ブロック８の外表面には、撥水処理が施されており、内から外への気体の通過は許容されるが、外から内への雨滴などの侵入は抑止される。
【００４０】
以上、本実施形態に係る蒸散ルーバー１Ａでは、支持管材７と蒸散ブロック８との間の僅かな隙間Ｓに注水して蒸散させる構成なので、少量の水であっても蒸散ブロック８に効率よく供給できる。特に、通水路となる隙間Ｓに沿って重力により支持管材７の上端部から下端部に向けて落下する水は、通水路の下端に到達する前に保水部１９で捕捉され、給水部２１を介して蒸散ブロック８に供給されるので、蒸散ブロック８に供給する水の少量化に有効である。また、蒸散ブロック８の上端部付近の隙間Ｓにも保水部１９や給水部２１が設けられるため、水が蒸散ブロック８の下部に偏って集まってしまうなどの状態が生じるのを防ぐことができる。その結果として、蒸散ブロック８の上下端部に亘って広い範囲で均一な蒸散を可能する。さらに、支持管材７と蒸散ブロック８との間の隙間Ｓの距離を水が表面張力にて留まり易い距離にすることで、蒸散ブロック８への浸透のために要する時間を確保し易くなる。
【００４１】
さらに、蒸散ブロック８は、上端部から下端部に亘る溝部１１が形成された一対のブロック片９，９からなり、一対のブロック片９，９同士は、支持管材７を挟み、且つ溝部１１を対向させた状態で配置される。その結果、蒸散ブロック８には、対向配置された一対の溝部１１によって支持管材７を挿通可能な挿通孔Ｈが形成された状態になり、従って、筒状の形態を呈することになる。そして支持管材７は、挿通孔Ｈに挿通された状態で全周に亘って隙間Ｓを介して蒸散ブロック８の挿通孔Ｈの周面と対向することになる。
【００４２】
つまり、本実施形態によれば、支持管材７を蒸散ブロック８で覆うことができ、外観の意匠性も向上する。また、支持管材７の全周に隙間Ｓ及び面ファスナー１３を設けて蒸散ブロック８への給水量の増加を図ることができ、さらに、蒸散ブロック８の外面の面積も増大して蒸散効果の増大が図れる。また、蒸散ブロック８は、一対のブロック片９，９によって支持管材７を挟み付けるように設置できるので、支持管材７に対する蒸散ブロック８の取り付けが非常に容易になる。
【００４３】
また、本実施形態では、蒸散ブロック８を支持管材７に支持させるための手段として面ファスナー１３を利用している。面ファスナー１３は、衝撃に強く剥離を生じ難い利点を有するので、外部からの衝撃で蒸散ブロック８が割れても面ファスナー１３を介して蒸散ブロック８の破片は支持管材７に固定された状態を保持され、割れた破片の落下や飛散を防止できる。さらに、蒸散ブロック８は、面ファスナー１３を介して支持管材７から着脱自在であるため、必要に応じて交換も容易である。
【００４４】
さらに、面ファスナー１３は、支持管材７に取り付けられる帯状係止部１５と、蒸散ブロック８に取り付けられるシ−ト状係止部１７とを有し、帯状係止部１５、及びシ−ト状係止部１７には、互いに係り合う多数のフック部１５ｂ，１７ｂが形成されている。そして、本実施形態では、面ファスナー１３の互いに係り合うフック部１５ｂ，１７ｂ同士の間に水滴Ｗ（図５参照）が付着することで水が保持され、その水は、シ−ト状係止部１７の透水性を有するシート部１７ａを通過して蒸散ブロック８に供給される。つまり、蒸散ブロック８を面ファスナー１３によって支持管材７に取り付けることで、保水部１９、及び給水部２１を簡単に、且つ確実に形成できる。
【００４５】
さらに、面ファスナー１３では、水を粒状、あるいは滴状に保持しており、蒸散ブロック８からの蒸散度合いに応じて面ファスナー１３から蒸散ブロック８に適宜に水が供給されることになり効率が良い。また、面ファスナー１３の多数のフック部１５ｂ，１７ｂによって水を拡散保持できるので、広い範囲で均一に蒸散ブロック８に染み込ませる上で有利である。
【００４６】
さらに、面ファスナー１３の保水部１９は、挿通孔Ｈの長手方向に亘って螺旋状に設けられている。つまり、本実施形態によれば、隙間Ｓの通水路は、螺旋状の保水部１９及び給水部２１により形成されて水を保持する螺旋状の保持部Ｆａ（図３、図５、及び図６参照）と、螺旋状の保持部Ｆａの形成により付随的に螺旋状に形成される螺旋状の重力落下部Ｆｂの２系統を互いに隣り合って備えることとなる。つまり、通水路へ注水された水が重力落下部Ｆｂに沿って落下する以外に螺旋状の保持部Ｆａにて保持されるため、蒸散ブロック８のいずれの高さ位置でも水が保持されることになる。その結果、重力落下部Ｆｂにより支持管材７の長尺方向で速やかに水を供給しつつ、保持部Ｆａでは重力落下部Ｆｂからの水を一時的に保持して蒸散ブロック８に送り込むことが可能となり、蒸散ブロック８の上下端部に亘って水を円滑に、且つ偏り無く供給できるので、蒸散の均一化に有利である。
【００４７】
また、本実施形態では、蒸散モジュール３Ａを構成する蒸散ブロック８は、支持管材７の長手方向に亘って複数体が連続して設けられており、隣接する蒸散ブロック８，８同士は、継手管材２９によって固定されている。つまり、実質的に蒸散機能を有する部分が複数の蒸散ブロック８によって構成されるので、一部の蒸散ブロック８が破損した際に、支持管材７を外すことなく破損した蒸散ブロック８のみを簡単に交換できる。
【００４８】
また、本実施形態では、蒸散ブロック８を支持する部材として筒状である支持管材７を用いており、さらに、熱を回収、又は放熱するための空気や液体などの熱媒体を流す管として支持管材７を利用している。したがって、蒸散だけではなく、熱媒体の効果により蒸散ブロック８の温度を制御する事ができる。また、支持管材７に熱媒体を通すことによって、蒸散ブロック８に発生したカビなどに触れない清浄な空気や液体が得られ、冷暖房に使うことも可能である。
【００４９】
また、本実施形態では、衝撃を受けた場合に撓む樹脂製の支持管材７を用いており、また、ＡＬＣ製またはセラミック製等の硬い材質からなる複数の蒸散ブロック８を継手管材２９によって連結することで蒸散モジュール３Ａを形成している。その結果、外部からの衝撃に対しても強い構造を実現できる。
【００５０】
また、本実施形態では、蒸散ブロック８の外周面に撥水材を塗布してコーティング膜２７を形成している。従って、雨滴を撥水させ、内部から供給された水（処理水）だけを蒸散に使用することができ、冬季の雨天などの蒸散が不要な時の雨水での蒸散をとめることができ、蒸散ブロック８の汚染も防止できる。
【００５１】
なお、本実施形態では、蒸散ブロック８の外周には撥水処理のみが施されているが、例えば、日差しが当たる側に配置される片方のブロック片９の表面に遮熱材を設置してもよい。遮熱材を用いることで、蒸散冷却効果と遮熱効果とを両立できる。
【００５２】
また、面ファスナー１３によって螺旋状の保水部１９を形成する蒸散モジュール３Ａについては、上記の実施形態の他に様々な変形例を適用することができる。例えば、図７（ａ）に示されるように、支持管材７は断面円形であるが、蒸散ブロック８の内部に形成される挿通孔Ｈａは支持管材７が挿通可能となるような矩形断面であってもよい。
【００５３】
また、図７（ｂ）、図７（ｃ）、及び図７（ｄ）に示されるように、支持管材（支持材）７Ａが断面矩形であり、蒸散ブロック８の内部に形成される挿通孔Ｈｂ，Ｈｃも支持管材７が挿通可能となるような矩形断面であってもよい。また、蒸散ブロック８は、上述同様に一対のブロック片９，９から形成されてもいいし（図７（ｃ）参照）、矩形の支持管材７の各面に対応して四分割されたブロック片９Ａ，９Ａ，９Ａ，９Ａを備えた構成であってもよい（図７（ｂ）参照）。また、図７（ｄ）に示されるように、断面Ｌ字状の一対のブロック片９Ｂ，９Ｂを組み合わせて矩形断面の挿通孔Ｈｃを形成するようにしてもよい。
（第２の実施形態）
【００５４】
次に、図８を参照して、本発明の第２の実施形態に係る蒸散ルーバー１Ｂの蒸散モジュール３Ｂについて説明する。図８は、蒸散モジュール３Ｂの一部分を拡大して示す模式的な縦断面図である。なお、以下の説明では、第２の実施形態に係る蒸散モジュール３Ｂについて、第１実施形態に係る蒸散モジュール３Ａとの相違点を中心に説明し、同様の要素や部材については同一の符号を付して詳細な説明は省略する。
【００５５】
蒸散ブロック８は支持管材７が挿通される挿通孔Ｈが形成された筒状である。支持管材７が挿通孔Ｈに挿通された状態で、蒸散ブロック８と支持管材７との間には、通水路となる隙間Ｓが形成される。隙間Ｓ内には、支持管材７に蒸散ブロック８を支持させる面ファスナー（取付け手段）４１が配置されている。
【００５６】
面ファスナー４１は、支持管材７に固定される帯状係止部（支持材側係止部）４３と、蒸散ブロック８に固定されるシート状係止部（ブロック体側係止部）４５と、を備えている。帯状係止部４３は、端部が離間した状態で支持管材７に巻きつけられて接着されているテープ片４４を複数備えており、複数のテープ片４４は、支持管材７の長手方向に沿って多段に配置されている。また、テープ片４４の端部同士の離間部分Ｓａは水の通路となり、この離間部分Ｓａは、隙間Ｓを落下する水が蛇行するように支持管材７の周方向にズレて配置されている。
【００５７】
帯状係止部４３の各テープ片４４には、支持管材７の外周面に当接して固定される面状の固定部と、固定部に立設される多数の係合突起部とを有する。また、シート状係止部４５は、蒸散ブロック８の内周面に当接して固定され、且つ透水性を有するシート部と、シート部に立設される多数の係合突起部とを有する。帯状係止部４３の各テープ片４４のフック部とシート状係止部４５のフック部とは互いに係り合って保水部４７を形成する。また、シート状係止部４５の透水性を有するシート部によって水の給水部４９が形成される。
【００５８】
本実施形態に係る蒸散ルーバー１Ｂでは、支持管材７と蒸散ブロック８との間の僅かな隙間Ｓに注水して蒸散させる構成なので、少量の水であっても蒸散ブロック８に効率よく供給できる。また、通水路となる隙間Ｓに沿って落下する水は、通水路の下端に到達する前に保水部４７で捕捉され、給水部４９を介して蒸散ブロック８に供給される。従って、水が蒸散ブロック８の下部に偏って集まってしまうことを防ぐことができる。その結果として、蒸散ブロック８の縦方向Ｐａにおける広い範囲で均一な蒸散を可能する。さらに、支持管材７と蒸散ブロック８との間の隙間Ｓの距離を水が表面張力にて留まり易い距離にすることで、蒸散ブロック８への浸透のために要する時間を確保し易くなる。
【００５９】
なお、本実施形態に係る蒸散ルーバー１Ｂでは、第１実施形態に係る蒸散ルーバー１Ａと同様の要素や部材を備えており、係る同様の要素や部材によって奏される作用や効果については、第１実施形態に係る蒸散ルーバー１Ａと同様である。
（第３の実施形態）
【００６０】
次に、図９を参照して、本発明の第３の実施形態に係る蒸散ルーバー１Ｃの蒸散モジュール３Ｃについて説明する。図９は、蒸散モジュール３Ｃの模式的な横断面図である。なお、以下の説明では、第３の実施形態に係る蒸散モジュール３Ｃについて、第１、及び第２実施形態に係る蒸散モジュール３Ａ，３Ｂとの相違点を中心に説明し、同様の要素や部材については同一の符号を付して詳細な説明は省略する。
【００６１】
支持材５１は、対向配置された一対のフランジ部５３，５３と、一対のフランジ部５３，５３を連結し、且つ対向配置された一対のウェブ部５５，５５とを備えており、ウェブ部５５，５５、及びフランジ部５３，５３で囲まれた空間に熱媒体が流動する空間になる。
【００６２】
支持材５１は、起立状に配置されており、ウェブ部５５の外側には、一対のフランジ部５３，５３に挟まれるようにして直方体状のブロック片５７が配置されている。一対のブロック片５７によって蒸散ブロック（ブロック体）５９が形成される。蒸散ブロック５９は、吸水性を有する多孔質材料からなり、特に、本実施形態ではＡＬＣ製である。
【００６３】
ブロック片５７とウェブ部５５との間には、通水路となる隙間Ｓが形成されている。隙間Ｓには、取付け手段としての面ファスナー６１が配置されている。面ファスナー６１は、支持材５１のウェブ部５５に固定される帯状係止部（支持材側係止部）６３と、ブロック片５７に固定されるシート状係止部（ブロック体側係止部）６５と、を備えている。帯状係止部６３は、ウェブ部５５に接着されているテープ片６４を複数備えており、複数のテープ片６４は、支持材５１の長手方向に沿って多段に配置されている。テープ片６４は、一部が切り欠かれるようにして縦方向の水の通路が形成されている。この通路は、隙間Ｓを落下する水が蛇行するように左右にズレて配置されている。
【００６４】
帯状係止部６３の各テープ片６４には、支持材５１のウェブ部５５の外周面に当接して固定される面状の固定部と、固定部に立設される多数の係合突起部とを有する。また、シート状係止部６５は、蒸散ブロック５９の内周面に当接して固定され、且つ透水性を有するシート部と、シート部に立設される多数の係合突起部とを有する。帯状係止部６３の係合突起部とシート状係止部６５の係合突起部とは互いに係り合って保水部６７を形成する。また、シート状係止部６５の透水性を有するシート部６５ｂによって水の給水部６９が形成される。
【００６５】
本実施形態に係る蒸散ルーバー１Ｃでは、支持材５１と蒸散ブロック５９との間の僅かな隙間Ｓに注水して蒸散させる構成なので、少量の水であっても蒸散ブロック５９に効率よく供給できる。また、通水路となる隙間Ｓに沿って落下する水は、通水路の下端に到達する前に保水部６７で捕捉され、給水部６９を介して蒸散ブロック５９に供給される。従って、水が蒸散ブロック５９の下部に偏って集まってしまうことを防ぐことができる。その結果として、蒸散ブロック５９の縦方向Ｐａにおける広い範囲で均一な蒸散を可能する。さらに、支持材５１と蒸散ブロック５９との間の隙間Ｓの距離を水が表面張力にて留まり易い距離にすることで、蒸散ブロック５９への浸透のために要する時間を確保し易くなる。
【００６６】
なお、本実施形態に係る蒸散ルーバー１Ｃでは、上述の各蒸散ルーバー１Ａ，１Ｂと同様の要素や部材を備えており、係る同様の要素や部材によって奏される作用や効果については、第１実施形態に係る蒸散ルーバー１Ａ，１Ｂと同様である。
【符号の説明】
【００６７】
１Ａ，１Ｂ，１Ｃ…蒸散ルーバー、７、７Ａ…支持管材（支持材）、５１…支持材、８…蒸散ブロック（ブロック体）、９、９Ａ、５７…ブロック片、１１…溝部、１３，４１，６１…面ファスナー（取付け手段）、１５，４３，６３…帯状係止部（支持材側係止部）、１５ａ…固定部、１５ｂ…フック部（係合突起部）、１７，４５，６５…シート状係止部（ブロック体側係止部）、１７ａ…シート部、１７ｂ…フック部（係合突起部）、１９，４７，６７…保水部、２１，４９，６９…給水部、２９…継手管材、３８…受け部材、３９…検出器、Ｈ，Ｈａ，Ｈｂ，Ｈｃ…挿通孔、Ｓ…隙間。
【図１】
0005694038.tif 000002
【図２】
0005694038.tif 000003
【図３】
0005694038.tif 000004
【図４】
0005694038.tif 000005
【図５】
0005694038.tif 000006
【図６】
0005694038.tif 000007
【図７】
0005694038.tif 000008
【図８】
0005694038.tif 000009
【図９】
0005694038.tif 000010